(57)【要約】      （修正有）【課題】電源オフ時に、ディストレスキーを操作するだけで、遭難信号を送信できるようにする。【解決手段】無線装置１０００は、制御部５００と、電源部６００と、ディストレスキー４１０と、送信部８００とを備える。ディストレスキー４１０は操作されるとディストレスキー操作信号４１１を制御部５００と電源部６００とに出力する。電源部６００は、電源オフ時に、ディストレスキー操作信号４１１が入力すると、制御部５００及び送信部８００に対して電力Ｖｃｃを供給する。制御部５００は、電力Ｖｃｃの供給を受けると、無線装置１０００のセットアップと、ディストレスキー操作信号４１１が継続して入力されている時間のカウントとを開始する。制御部５００は、ディストレスキー操作信号４１１の入力が予め設定された時間以上継続すると、電源部６００に対して電力供給維持信号５２０を出力し、かつ遭難信号ＤＳを生成して送信部８００から送信させる。【選択図】図１
2018006904.tif 000002
【特許請求の範囲】
【請求項１】
遭難信号を送信する機能を有する無線装置において、
少なくとも自局のＩＤコードと自局の位置情報とを含む遭難信号を生成する制御部と、  前記無線装置全体に電力を供給する電源部と、
前記遭難信号を送信するために操作されるディストレスキーと、
前記遭難信号を送信する送信部とを具備しており、
前記ディストレスキーは、操作されることによりディストレスキー操作信号を前記制御部と前記電源部とに出力し、
前記電源部は、前記無線装置全体への電力の供給が停止している状態で前記ディストレスキー操作信号が入力されると、少なくとも前記制御部及び前記送信部に対して電力を供給し、
前記制御部は、前記電源部から電力の供給を受けると、前記無線装置のセットアップを開始するとともに、前記ディストレスキー操作信号が継続して入力されている時間のカウントを開始し、前記ディストレスキー操作信号が予め設定された時間以上継続的に入力されると、前記電源部に対して電力供給維持信号を出力するとともに、前記遭難信号を生成して前記送信部から前記遭難信号を送信させることを特徴とする無線装置。
【請求項２】
電源部は、前記電力供給維持信号が入力されると、前記無線装置全体へ継続的に電力を供給することを特徴とする請求項１記載の無線装置。
【請求項３】
前記制御部は、無線装置のセットアップにおいて、遭難信号を送信するために最小限必要なセットアップを行い、前記最小限必要なセットアップが完了したのち、通常の無線装置の機能を実現するためのセットアップを行なうことを特徴とする請求項１又は２記載の無線装置。
【発明の詳細な説明】
【技術分野】
【０００１】
本発明は、遭難信号の送信が必要な非常時に電源部がオフであったとしても、電源キーを操作することなく素早く遭難信号を送信することができる無線装置に関する。
【背景技術】
【０００２】
デジタル選択呼出機能（ＤＳＣ機能）を搭載した船舶用の無線装置には、船舶又は人が遭難して救助が必要な非常時に遭難信号を送信することができる機能が設けられている。かかる無線装置には、他のスイッチからは独立して、遭難信号を送信するためのディストレスキーが設けられている。
このディストレスキーには誤って操作されることにより遭難信号が送信されないように、スイッチカバーが設けられており、ディストレスキー自体又はスイッチカバーが赤色に彩色されている。また、遭難信号は、ディストレスキーを３秒間継続して操作し続けないと送信されないようになっている。
すなわち、この種の遭難信号は、スイッチカバーを開ける、ディストレスキーを３秒間操作し続ける、という一連の動作があって初めて送信されるようになっている。
なお、この遭難信号には、自局のＩＤコードであり９桁の数字からなるＭＭＳＩ（Maritime Mobile Service Identity）、自局の位置情報、時刻情報、遭難の種類が含まれている。遭難の種類には、火災・爆発(Explosion) 、浸水(Flooding)、衝突(Collsion)、座礁(Grounding) 、転覆(Capsizing) 、沈没(Sinking) 、操船不能／漂流(Adrift)、海賊の攻撃(Piracy)、船体の放棄(Abandoning)、落水（ＭＯＢ）、その他の遭難(Undesignated distress) の１１種類がある。
なお、この種の遭難信号を送信する機能は、船舶用の無線装置に限定されず、陸上用の無線装置にも搭載されているものがある。
【０００３】
この種の遭難信号を送信するディストレスキーを有する無線装置としては、特開２００２−１１１５２０号公報、実開平０５−００９０４５号公報に記載がある。
【０００４】
【特許文献１】特開２００２−１１１５２０号公報
【特許文献２】実開平０５−００９０４５号公報
【発明の開示】
【発明が解決しようとする課題】
【０００５】
しかしながら、上述した特許文献１、２のみならず、従来の無線装置で遭難信号を送信する機能を有しているものは、無線装置の電源が予めオンされた状態でディストレスキーが操作されることを前提としている。すなわち、無線装置の電源がオフされた状態でディストレスキーを操作しても遭難信号は送信されないのである。
無線装置の電源がオフである場合、遭難信号を送信するためには、電源キーを操作して電源をオンさせる、電源がオンされたことを確認する、スイッチカバーを開ける、ディストレスキーを３秒間操作し続ける、という一連の操作が必要となる。電源キーを操作してからディストレスキーが操作可能になるまでには、無線装置のセットアップのための約５秒間の時間を要する。従って、無線装置の電源がオフである場合、遭難信号が送信されるまでには、電源キーの操作を開始してから少なくとも約８秒のタイムラグが生じることになる。
すなわち、従来の無線装置では、電源がオフである場合、素早く遭難信号を送信することができないという問題がある。
【０００６】
本発明は、上記事情に鑑みて創案されたもので、無線装置の電源がオフであったとしても、電源キーを操作することなく、ディストレスキーを操作するだけで素早く遭難信号を送信することができる無線装置を提供することを目的としている。
【課題を解決するための手段】
【０００７】
本発明に係る無線装置は、遭難信号を送信する機能を有する無線装置であって、
少なくとも自局のＩＤコードと自局の位置情報とを含む遭難信号を生成する制御部と、  前記無線装置全体に電力を供給する電源部と、
前記遭難信号を送信するために操作されるディストレスキーと、
前記遭難信号を送信する送信部とを具備しており、
前記ディストレスキーは、操作されることによりディストレスキー操作信号を前記制御部と前記電源部とに出力し、
前記電源部は、前記無線装置全体への電力の供給が停止している状態で前記ディストレスキー操作信号が入力されると、少なくとも前記制御部及び前記送信部に対して電力を供給し、
前記制御部は、前記電源部から電力の供給を受けると、前記無線装置のセットアップを開始するとともに、前記ディストレスキー操作信号が継続して入力されている時間のカウントを開始し、前記ディストレスキー操作信号が予め設定された時間以上継続的に入力されると、前記電源部に対して電力供給維持信号を出力するとともに、前記遭難信号を生成して前記送信部から前記遭難信号を送信させるように構成されている。
【発明の効果】
【０００８】
本発明に係る無線装置は、電源がオフであったとしても、電源キーを操作することなくディストレスキーを操作するだけで、遭難信号を送信することができるので、従来のものでは困難であった電源オフ時の素早い遭難信号の送信が可能となった。
【図面の簡単な説明】
【０００９】
【図１】本発明の実施の形態に係る無線装置の概略的ブロック図である。
【図２】本発明の実施の形態に係る無線装置、それもハンディタイプの無線装置の外観図であって、同図（Ａ）が概略的正面図、同図（Ｂ）は概略的側面図、同図（Ｃ）は概略的背面図である。
【図３】本発明の実施の形態に係る無線装置、それも据え置きタイプの無線装置の概略的正面図である。
【図４】本発明の実施の形態に係る無線装置の動作の前半を説明する概略的フローチャートである。
【図５】本発明の実施の形態に係る無線装置の動作の後半を説明する概略的フローチャートである。
【発明を実施するための形態】
【００１０】
本発明の実施の形態に係る無線装置１０００は、遭難信号ＤＳを送信する機能を有する無線装置であって、少なくとも自局のＩＤコードと自局の位置情報とを含む遭難信号ＤＳを生成する制御部５００と、前記無線装置１０００全体に電力Ｖｃｃを供給する電源部６００と、前記遭難信号ＤＳを送信するために操作されるディストレスキー４１０と、前記遭難信号ＤＳを送信する送信部８００とを備えている。
前記ディストレスキー４１０は、操作されることによりディストレスキー操作信号４１１を前記制御部５００と前記電源部６００とに出力し、
前記電源部６００は、前記無線装置１０００全体への電力Ｖｃｃの供給が停止している状態で前記ディストレスキー操作信号４１１が入力されると、少なくとも前記制御部５００及び前記送信部８００に対して電力Ｖｃｃを供給し、
前記制御部５００は、前記電源部６００から電力Ｖｃｃの供給を受けると、前記無線装置１０００のセットアップを開始するとともに、前記ディストレスキー操作信号４１１が継続して入力されている時間のカウントを開始し、前記ディストレスキー操作信号４１１が予め設定された時間（例えば、３秒間）以上継続的に入力されると、前記電源部６００に対して電力供給維持信号５２０を出力するとともに、前記遭難信号ＤＳを生成して前記送信部８００から前記遭難信号ＤＳを送信させるように構成されている。
【００１１】
この無線装置１０００は、マリンＶＨＦバンドの無線通信を行うものである。代表例として、デジタル選択呼出機能（ＤＳＣ機能）を搭載した船舶用の無線装置が挙げられる。この種の船舶用の無線装置１０００は、遭難して救助が必要なときに、遭難信号ＤＳを送信する機能を有している。そして、他のスイッチからは独立して設けられたディストレスキー４１０を操作することで遭難信号ＤＳが送信されるようになっている。
前記遭難信号ＤＳには、自局のＩＤコードであるＭＭＳＩ、自局の位置情報、時刻情報、遭難の種類を含ませる必要がある。遭難の種類には、火災・爆発(Explosion) 、浸水(Flooding)、衝突(Collsion)、座礁(Grounding) 、転覆(Capsizing) 、沈没(Sinking) 、操船不能／漂流(Adrift)、海賊の攻撃(Piracy)、船体の放棄(Abandoning)、落水（ＭＯＢ）、その他の遭難(Undesignated distress) の１１種類がある。
【００１２】
次に、本発明の実施の形態に係る無線装置１０００の外観について、図２を参照しつつ詳細に説明する。
この無線装置１０００は、ハンディタイプのものであって、筐体１１１を含む本体１１０及び筐体１１１の上面に上方に向けて設けられたアンテナ１２０を有する外観を呈している。このアンテナ１２０は、コイル状のアンテナ線を樹脂パイプに収納したロッド状のアンテナである。アンテナ線は、銅線又は鉄線であるため重量があり、このアンテナ１２０の重量によって、無線装置１０００の全体の重量バランスは上部に偏っている。
【００１３】
筐体１１１の前面には、上から順に、ディスプレイ２００、キーパネル１１４、スピーカーグリル１１２が設けられている。
スピーカーグリル１１２の内部には、スピーカーが設けられている。筐体１１１の向かって左側面には、ＰＴＴ（プッシュ・トゥ・トーク）スイッチ１１５が設けられている。筐体１１１の上面のアンテナ１２０の向かって左側には防水キャップが被せられたＳＰ／ＭＩＣコネクタ１１６が設けられている。
【００１４】
ディスプレイ２００は、液晶ディスプレイであり、背面にバックライトとしてのＬＥＤを有している。このディスプレイ２００には、通信チャンネル、音量の他、各種の設定事項が表示される。
キーパネル１１４には、電源キー３５５（図１参照）やテンキーを含む複数のキースイッチが配置されている。電源キー３５５は、電源をオン／オフするためのキースイッチである。無線装置１０００の電源がオフのとき、この電源キー３５５が一定時間以上（例えば、２秒以上）押圧操作されると、電源制御回路６３０から電源回路６２０に対して電力供給信号６３１が出力される。この電力供給信号６３１を受けた電源回路６２０は、継続してバッテリ６１０の電力Ｖｃｃを無線装置１０００の各部へと供給する。
無線装置１０００の電源がオンのとき、電源キー３５５が一定時間以上（例えば、２秒以上）押圧操作されると、バッテリ６１０から無線装置１０００の各部へと供給されていた電力Ｖｃｃの供給が停止される。
【００１５】
また、このキーパネル１１４の背面にはバックライトとしてのＬＥＤが設けられている。キーパネル１１４の各キースイッチは、キートップが光を透過させる材質及び色となっており、バックライトの点灯により背面から照射される。
【００１６】
さらに、このハンディタイプの無線装置１０００にあっては、図２（Ｃ）に示すように、遭難信号ＤＳを送信するために操作されるディストレスキー４１０が背面に設けられている。しかしながら、ハンディタイプの無線装置１０００であっても、配置のスペースの関係から前面側に配置されていてもよいし、側面に設けられていてもよい。
また、このディストレスキー４１０には、押圧しているときのみオンされるいわゆる自己復帰型のプッシュスイッチが使用される。
なお、上述した各種キー等の配置は一例であって、本発明がこれに限定されるものでないことはいうまでもない。
【００１７】
上述した無線装置１０００はハンディタイプであったが、本発明に係る別の無線装置１０００は図３に示すような据え置き式であってもよい。
なお、本明細書においては、ハンディタイプ、据え置きタイプの別に関わらず無線装置１０００の説明に必要な構成については、同じ符号を付している。
この据え置き式の無線装置１０００は、図３に示すように、中央に液晶パネルからなるディスプレイ２００が配置されている。ディスプレイ２００の向かって左側にスピーカー３００が配置され、その向かって右側に十字キー３１０が配置される。十字キー３１０の中央にエンターキー３３０が配置され、十字キー３１０の下にクリアキー３４０及びメニューキー３５０が配置され、その下にダイヤルセレクターを兼ねた電源キー３５５が配置されている。
また、ディスプレイ２００の下側には横並びで４つのソフトキー３６０が配置され、さらにその下側にはスケルチツマミ３７０、ボリュームツマミ３８０及びチャンネル１６／コールチャンネルキー３９０が横並びで配置されている。
さらに、スピーカー３００の下側には、マイク用コネクタ４００と、ディストレスキー４１０が横並びで設けられている。このディストレスキー４１０は誤操作防止のために、赤色透明なスイッチカバーで覆われている。
【００１８】
なお、このディストレスキー４１０には、押圧しているときのみオンされるいわゆる自己復帰型のプッシュスイッチが使用される。
なお、上述した正面側の各種キー等の配置は一例であって、本発明がこれに限定されるものでないことはいうまでもない。
【００１９】
この無線装置１０００の電源部６００は、バッテリ６１０と、電源回路６２０と、電源制御回路６３０とを有している。
電源回路６２０は、バッテリ６１０の電力Ｖｃｃを無線装置１０００の各部へ供給する。電源制御回路６３０は、電源キー３５５やディストレスキー４１０の操作を受けて、電源回路６２０にバッテリ６１０の電力Ｖｃｃを各部へ供給するように制御する。
ハンディタイプの無線装置１０００においては、バッテリ６１０は、無線装置１０００本体に着脱可能なバッテリパックや、充電可能な内蔵バッテリである。据え付けタイプの無線装置１０００においては、バッテリ６１０は、無線装置１０００とは別体の外部バッテリであり、無線装置１０００と外部バッテリはＤＣ電源ケーブルを介して接続される。説明を容易にするため、図１においては、バッテリの形態の相違に関わらず、バッテリ６１０は電源部６００内に含めて図示する。また、バッテリの形態が相違しても、以下に詳述する動作に相違はない。
【００２０】
また、この無線装置１０００の制御部５００はＣＰＵに加えて、メモリ、各種のインターフェイス、Ａ／Ｄコンバータ、Ｄ／Ａコンバータ等を備えたいわゆるマイクロコントローラであり、無線装置１０００の全体動作を制御する。この制御部５００には、ディストレスキー４１０が操作されている時間、すなわちディストレスキー操作信号４１１が継続して制御部５００に入力されている時間をカウントするカウンタ５１０が設けられている。
【００２１】
また、前記ディストレスキー４１０は、押圧操作されると無線装置１０００の電源のオン／オフに関わらず、制御部５００と電源部６００の電源制御回路６３０とに対してディストレスキー操作信号４１１を出力する。
無線装置１０００の電源がオフのときにディストレスキー４１０が操作されてディストレスキー操作信号４１１が出力されると同時に、電源制御回路６３０から電源回路６２０に対して電力供給信号６３１が出力される。この電力供給信号６３１を受けた電源回路６２０は、制御部５００や各部に対してバッテリ６１０の電力Ｖｃｃを供給する。また、この電力Ｖｃｃの供給が開始されると、制御部５００や各部を起動させるセットアップが開始される。
なお、この状態における電力Ｖｃｃの供給は継続的なものではない。すなわち、ディストレスキー操作信号４１１の出力が停止されると、電源部６００からの電力Ｖｃｃの供給は即座に停止される。
【００２２】
一方、無線装置１０００の電源がオンであるとき、ディストレスキー４１０が操作されてディストレスキー操作信号４１１が出力されても、上述した電力供給信号６３１の電源回路６２０に対する出力や無線装置１０００全体のセットアップは必要なく、そのまま遭難信号送信可能モードになる。
なお、本明細書において、遭難信号送信可能モードとは、ディストレスキー４１０が操作された結果、送信されるべき遭難信号ＤＳを生成するモードをいう。この遭難信号送信可能モードで遭難信号ＤＳが生成されたならば、制御部５００はその遭難信号ＤＳを送信部８００から送信させる。
【００２３】
また、無線装置１０００の電源がオフであるとき、ディストレスキー操作信号４１１が出力されて上述したセットアップが行われているのと同時に、制御部５００は、カウンタ５１０の作動を開始させる。カウンタ５１０は、ディストレスキー操作信号４１１が継続して制御部５００に入力されている時間をカウントする。
このディストレスキー操作信号４１１が継続して制御部５００に入力されている時間が予め設定された時間（例えば、３秒間）に達すると、制御部５００は電源制御回路６３０に対して電力供給維持信号５２０を出力する。この電力供給維持信号５２０を受けた電源制御回路６３０は、バッテリ６１０の電力Ｖｃｃを無線装置１０００の全体に継続的に供給するよう電源回路６２０を制御する。
なお、この無線装置１０００において、遭難信号送信可能モードとなるには、ディストレスキー４１０を予め設定した時間（例えば、３秒間）だけ操作し続けなければならないように設定したのは、ディストレスキー４１０に不用意に触れたり、ものが接触した場合に遭難信号ＤＳを誤って送信することがないようにしたためである。
【００２４】
上述したように構成された無線装置１０００の電源がオフの時のより詳細な動作を図４〜図５を参照しつつ説明する。
無線装置１０００の電源がオフの状態でディストレスキー４１０が操作されると（図４のＳ１）、ディストレスキー操作信号４１１が制御部５００と電源部６００の電源制御回路６３０とに同時に出力される（図４のＳ２）。ディストレスキー操作信号４１１が入力された電源制御回路６３０は、電源回路６２０に対して電力供給信号６３１を出力する（図４のＳ３）。この電力供給信号６３１を受けた電源回路６２０は、制御部５００やその他の部分に対してバッテリ６１０の電力Ｖｃｃを供給する（図４のＳ４）。
【００２５】
電力Ｖｃｃが供給された制御部５００は、無線装置１０００のセットアップを開始する（図４のＳ５）。無線装置１０００の電源がオフの状態でディストレスキー４１０を操作した場合、ディストレスキー４１０が電源キー３５５を兼用していることになる。
なお、この時点では、電力Ｖｃｃは、無線装置１０００のセットアップに必要な制御部５００やその他の部分に対しては供給されているが、セットアップに不必要な部分、例えばディスプレイ２００には供給されていない。従って、この時点ではディスプレイ２００にはなにも表示されない（図４のＳ５）。
そして、この時点での無線装置１０００のセットアップは、遭難信号ＤＳを送信するために必要な部分のセットアップを先に行い、通常の電源オン時に行なわれる各種データのロードなどの時間を要する処理は後回しにする。すなわち、まず、遭難信号を送信するために最小限必要なセットアップを行い、無線装置１０００を遭難信号ＤＳの送信が可能な状態にする。そして、無線装置１０００が遭難信号ＤＳを送信することが可能な状態になった後に、その他の機能を動作可能にするためのセットアップ、すなわち通常の無線装置１０００の機能を実現するためのセットアップを行なうようにする。このように、セットアップの処理に優先順位を持たせることによって、無線装置１０００の電源がオフであっても、素早く遭難信号ＤＳを送信することが可能になる。
また、この時点における電力Ｖｃｃの供給は継続的なものではない。すなわち、ディストレスキー操作信号４１１が電源制御回路６３０に入力されなくなると、電力Ｖｃｃの供給は即座に停止される。
【００２６】
ここで、ディストレスキー操作信号４１１が制御部５００に入力され（図４のＳ６でＹＥＳ）、かつディストレスキー操作信号４１１が制御部５００に入力されている時間が予め設定された時間（例えば、１０ｍｓ）以上になると（図４のＳ７でＹＥＳ）、制御部５００のカウンタ５１０は、ディストレスキー操作信号４１１が継続して入力されている時間をカウントし始める。そして、これと同時にディスプレイ２００には、ディストレスキー操作信号４１１の入力が継続されている時間が表示されるとともに、スピーカー３００からアラーム音の放音が開始される（図４のＳ８）。
【００２７】
一方、ディストレスキー操作信号４１１が制御部５００に入力されてから１０ｍｓ未満でディストレスキー操作信号４１１の入力が停止されると（図４のＳ７でＮＯ、Ｓ６でＮＯ）、電源部６００から制御部５００等への電力Ｖｃｃ供給は停止される（図５のＳ１７）。その結果、制御部５００のカウンタ５１０による前記カウントやディスプレイ２００への時間の表示は行われず、前記アラーム音は放音されることがない。
なお、ディストレスキー操作信号４１１の制御部５００への継続しての入力が例えば１０ｍｓ未満であった場合に、前記カウンタ５１０によるカウントが開始されないようにしたのは（図４のＳ７でＮＯ）、ディストレスキー４１０のチャタリングやディストレスキー４１０を誤って一瞬だけ操作してしまったような場合を排除するためである。
【００２８】
ディストレスキー操作信号４１１の制御部５００への入力が開始されてから予め設定された時間（例えば、３秒間）だけ、ディストレスキー操作信号４１１の制御部５００への入力が停止されることなく継続されると（図４のＳ９でＹＥＳ及びＳ１０でＹＥＳ）、制御部５００は電力供給維持信号５２０を電源制御回路６３０に出力する（図４のＳ１１）。電源部６００は、電源制御回路６３０に電力供給維持信号５２０が入力されると、無線装置１０００全体、すなわち制御部５００やその他の各部に電力Ｖｃｃを継続的に供給する（図４のＳ１２）。
すなわち、この状態になってからディストレスキー４１０の操作が停止されてディストレスキー操作信号４１１の制御部５００及び電源制御回路６３０への入力が停止されたとしても、電源部６００からの制御部５００等に対する電力Ｖｃｃの供給は継続され、無線装置１０００はオン状態を維持する。
【００２９】
そして、無線装置１０００は、遭難信号送信可能モードになる（図４のＳ１３）。また、無線装置１０００からは、遭難信号送信可能モードになった旨を明示するために、ディストレス確定ビープ音が放音される（図４のＳ１３）。このディストレス確定ビープ音は、ディストレスキー操作信号４１１が継続して制御部５００に入力されていることを明示するための前記アラーム音とは明確に聞き分けることができるものを使用することが望ましい。
【００３０】
このとき、制御部５００は、自局のＩＤコードであるＭＭＳＩ、自局の位置情報、時刻情報を図示しない記憶部などから取得し、遭難の種類を初期値である「その他の遭難(Undesignated distress) 」として、遭難信号ＤＳを生成している。
【００３１】
遭難信号ＤＳが生成されたならば、制御部５００は、送信部８００から遭難信号ＤＳを送信する（図５のＳ１４）。送信部８００から遭難信号ＤＳが送信されてから、予め設定した一定時間が経過すると、無線装置１０００は他者からのＡＣＫ信号（ACKnowledgement)を受信するために自動的に受信モードになる（図５のＳ１５）。
【００３２】
ディストレスキー操作信号４１１が、制御部５００へ出力されてから予め設定された時間（例えば、３秒間）未満で停止された場合には（図４のＳ９及びＳ１０）、無線装置１０００全体のセットアップと、カウンタ５１０によるカウントは停止される。これと同時にディスプレイ２００へのディストレスキー４１０の操作時間の表示は停止され、アラーム音の放音も停止される。また、これらの停止とともに電力供給信号６３１も停止されるので、制御部５００等に対する電力Ｖｃｃの供給も停止され、無線装置１０００の電源はオフの状態に復帰する（図５のＳ１６）。
【００３３】
このディストレスキー操作信号４１１の制御部５００への出力が予め設定された時間（例えば、３秒間）未満で停止されたことは、ディストレスキー４１０が操作され始めてから予め設定された時間（例えば、３秒間）未満でその操作が中断されたことを意味する。
ディストレスキー４１０の操作が予め設定された時間（例えば、３秒間）未満で中断された場合に、電源部６００をオフの状態に復帰させるのは、ディストレスキー４１０を誤って操作してしまった場合を想定したものであり、無用の遭難信号ＤＳの誤った送信を防止するためである。
【００３４】
無線装置１０００の電源がオンの時
無線装置１０００の電源がオンの状態でディストレスキー４１０が操作されると、無線装置１０００の電源がオフの状態でディストレスキー４１０が操作されたときと同様にディストレスキー操作信号４１１が制御部５００へ出力される。ディストレスキー操作信号４１１が制御部５００に入力されると、制御部５００のカウンタ５１０は、ディストレスキー操作信号４１１が継続して入力されている時間をカウントし始める。これと同時に、ディスプレイ２００には、ディストレスキー操作信号４１１の制御部５００への入力が継続されている時間が表示されるとともに、スピーカー３００からアラーム音の放音が開始される。
なお、ディストレスキー操作信号４１１の出力が、予め設定された時間（３秒間）の経過前に停止されると、カウンタ５１０による前記カウントやディスプレイ２００での時間の表示はオフされ、アラーム音も停止される。
【００３５】
ディストレスキー操作信号４１１の制御部５００への入力が開始されてから予め設定された時間（例えば、３秒間）だけ、ディストレスキー操作信号４１１が停止されることなく制御部５００に入力され続けると、制御部５００は無線装置１０００を遭難信号送信可能モードにする。制御部５００は、無線装置１０００が遭難信号送信可能モードになった旨を明示するために、ディストレス確定ビープ音を放音する。
このディストレス確定ビープ音は、ディストレスキー操作信号４１１が継続して制御部５００に入力されていることを明示するための前記アラーム音とは明確に聞き分けることができるものを使用することが望ましい。
【００３６】
初期値である「その他の遭難(Undesignated distress) 」以外の遭難の種類を遭難信号ＤＳに含ませる場合、ディストレスキー４１０を操作する前に、ユーザーは、必要なキーを操作して遭難の種類を選択する。遭難信号ＤＳに含まれるべき、他の情報、すなわち自局のＩＤコードであるＭＭＳＩ、自局の位置情報、時刻情報は、制御部５００が、図示しない記憶部などから取得し、自動的に遭難信号ＤＳに組み入れる。
なお、ユーザーによって遭難の種類が選択されなかった場合には、「その他の遭難(Undesignated distress) 」が自動的に選択される。
遭難の種類、自局のＩＤコードであるＭＭＳＩ、自局の位置情報、時刻情報を含んだ遭難信号ＤＳが生成されたならば、制御部５００は、送信部８００から遭難信号ＤＳを送信する。
【００３７】
送信部８００から遭難信号ＤＳが送信されてから予め設定した一定時間が経過すると、制御部５００は無線装置１０００を他者からのＡＣＫ信号（ACKnowledgement)を受信するために自動的に受信モードにする。
【００３８】
なお、無線装置１０００の電源がオンの状態でディストレスキー４１０を操作しても、その操作が予め設定された時間（例えば、３秒間）未満で停止されると、その時点でディストレスキー操作信号４１１の制御部５００への入力は即座に停止される。また、同時にディストレスキー操作信号４１１が制御部５００に継続して入力されている時間のディスプレイ２００での表示や、アラーム音の放音も停止される。そして、無線装置１０００は遭難信号送信可能モードにはならない。その結果、制御部５００では、遭難信号ＤＳは生成されず、送信部８００からの送信も行なわれない。なお、無線装置１０００は電源がオンした状態をそのまま維持する。
【符号の説明】
【００３９】
１０００  無線装置
３５５    電源キー
４１０    ディストレスキー
４１１    ディストレスキー操作信号
５００    制御部
５２０    電力供給維持信号
６００    電源部
８００    送信部
ＤＳ      遭難信号
【図１】
2018006904.tif 000003
【図２】
2018006904.tif 000004
【図３】
2018006904.tif 000005
【図４】
2018006904.tif 000006
【図５】
2018006904.tif 000007